【事件の表示】
　特願２００６−２４６０３４「記録装置と記録装置に装着可能なインクカートリッジとの組み合わせ」拒絶査定不服審判事件〔平成１８年１１月３０日出願公開、特開２００６−３２１２５０〕について、次のとおり審決する。
【結　論】
　本件審判の請求は、成り立たない。
【理　由】
１　手続の経緯　
　本願は、平成１４年８月１日に出願した特願２００２−２２５２９４号の一部を平成１８年９月１１日に新たな特許出願としたものであって、 平成２０年１２月１日及び平成２１年４月２７日に手続補正がなされ、平成２１年４月２７日付け手続補正が平成２１年７月７日付けで却下されるとともに、同日付けで拒絶査定がなされ、これに対して、同年１０月１４日に拒絶査定不服審判が請求されるとともに、同時に手続補正がなされ、当審において、平成２１年１０月１４日手続補正が平成２２年１０月８日付けで却下されるとともに、同日付けで拒絶の理由（以下「当審拒絶理由」という。）が通知され、同年１２月１３日に手続補正がなされたものである。
　
２　本願発明
　本願の請求項１に係る発明（以下「本願発明」という。）は、平成２２年１２月１３日付け手続補正によって補正された明細書、特許請求の範囲及び図面の記載からみて、その特許請求の範囲の請求項１に記載された事項によって特定されるとおりの次のものである。
　
「記録装置と記録装置に装着可能なインクカートリッジとの組み合わせであって、
　前記記録装置は、前記インクカートリッジを着脱可能に装着するためのインクカートリッジ装着部を複数個備え、
　前記インクカートリッジ装着部は、それぞれ、　外部に水平方向に開口する開口部、水平方向に延びる底面、及び、天井面を有し、
　前記開口部と対向する位置に、インクカートリッジのインク供給口と接続して記録ヘッドにインクを供給する接続部を有し、
　前記底面は前記天井面よりも前記接続部とは反対側に延びており、
　前記複数個のインクカートリッジ装着部は、その前記底面がほぼ同一平面上に並ぶように相互に隣接して配置されており、
　前記インクカートリッジ装着部のそれぞれにおいて、前記天井面よりも前記接続部とは反対側に延びている前記底面の部分のうち、前記インクカートリッジ装着部の並び方向における両側には、一対のへこみ部が形成されており、
　前記へこみ部は、前記インクカートリッジ装着部の底面の前記接続部とは反対側の縁まで延びており、前記縁において開口しており、　
　前記複数個のインクカートリッジ装着部は、互いに隣り合う第１及び第２のインクカートリッジ装着部を有し、前記第１のインクカートリッジ装着部の底面に形成された一対のへこみ部のうち前記第２のインクカートリッジ装着部側に形成されたへこみ部は、前記第２のインクカートリッジ装着部の底面に形成された一対のへこみ部のうち前記第１のインクカートリッジ装着部側に形成されたへこみ部と連続するように形成されており、　
　前記インクカートリッジは、前記インク供給口を有する前面と前記前面と反対側に形成された後端部とを有し、
　前記後端部は、前記前面の幅よりも狭い幅に形成されており、
　前記インクカートリッジは、前記インクカートリッジ装着部の前記底面に沿って、前記開口側から前記インク供給口を前記接続部に接続させる方向に滑らせることが可能な下面を更に有しており、
　前記インクカートリッジは、その幅方向が前記インクカートリッジ装着部の前記並び方向に一致するように前記インクカートリッジ装着部の前記開口部から前記インクカートリッジ装着部に挿入され、前記インクカートリッジの前記下面を前記インクカートリッジ装着部の前記底面に沿って滑らせて、前記インク供給口を前記接続部に接続させることで、前記インクカートリッジ装着部に装着され、
　前記後端部は、前記インクカートリッジが前記インクカートリッジ装着部に装着された際、前記天井面よりも前記接続部とは反対側に延びている前記底面の部分に位置することにより前記開口部から露出し、
　前記後端部は、前記インクカートリッジが前記インクカートリッジ装着部に装着された際、前記インクカートリッジ装着部の前記底面のうち前記一対のへこみ部の間の部分上に位置し、　前記インクカートリッジ装着部の前記底面のうち前記一対のへこみ部の間の部分が有する前記インクカートリッジ装着部の前記並び方向に沿った幅は、前記インクカートリッジの前記後端部の前記幅より小さく、前記インクカートリッジが前記インクカートリッジ装着部に装着された際、前記インクカートリッジの前記後端部の幅方向における両端が、前記一対のへこみ部上に突出し、前記後端部の前記下面と反対側の上面には、幅方向に直線状に延びるリブが形成されていることを特徴とする記録装置と記録装置に装着可能なインクカートリッジとの組み合わせ。」
　
３　刊行物の記載事項　
（１）当審拒絶理由で引用した「本願の出願前に頒布された刊行物である特開平４−１３３７４６号公報（以下「引用例１」という。）」には、図とともに次の事項が記載されている。
　ア　「１．発明の名称
　インクカートリッジおよび該インクカートリッジを備えたインクジェット記録装置」（１頁左下欄２〜４行）
　
　イ　「１）インクを吐出して記録を行うための記録ヘッドを複数のインク色に対応して具えたインクジェット記録装置に対して着脱自在に装着され前記記録ヘッドが吐出するインクを前記複数のインク色のそれぞれについて貯留する複数のインクカートリッジにおいて、該複数のインクカートリッジの各々は、
　当該貯留するインクに対応した記録ヘッドの駆動条件に関する情報を具えた情報媒体と、
　前記複数のインクカートリッジにおいて互いに異なる形状であって、当該インクカートリッジの前記装着に際して前記インクジェット記録装置の一部と嵌合する嵌合部と、
　を有することを特徴とするインクカートリッジ。」（１頁左下欄６行〜同頁右下欄１行）
　
　ウ　「１４）インクを吐出して記録を行うための記録ヘッドを複数のインク色に対応して具えたインクジェット記録装置において、
　前記記録ヘッドが吐出するインクを前記複数のインク色のそれぞれについて貯留する複数のインクカートリッジであって、該複数のインクカートリッジの各々が、当該貯留するインクに対応した記録ヘッドの駆動条件に関する情報を具えた情報媒体と、
　前記複数のインクカートリッジにおいて互いに異なる形状であって、当該インクカートリッジの前記装着に際して前記インクジェット記録装置の一部と嵌合する嵌合部と、
を有する前記複数のインクカートリッジの各々を着脱自在に装着するための装着手段と、
　該装着手段にあって、前記複数のインクカートリッジそれぞれの前記形状に対応して設けられた複数の被嵌合部と、
　該被嵌合部に前記嵌合部が嵌合されることによって、インクカートリッジが装着されたとき、前記情報媒体の情報を読取ることが可能な読出し手段と、
　該読出し手段が読出した情報に基づいて前記記録ヘッドの駆動を制御する駆動制御手段と、
を具えたことを特徴とするインクジェット記録装置。」（２頁左下欄４行〜同頁右下欄１０行）
　
　エ　「［産業上の利用分野］
　本発明は、熱エネルギーを利用してインクを吐出し記録を行なうためのインクジェット記録ヘッドを各色のインク毎に備えカラー記録を行うことが可能なインクジェット記録装置に関する。
　また、本発明は上記インクジェット記録装置において上記各インクに対応して交換可能に備えられた複数のインクカートリッジに関する。」（３頁右上欄２〜９行）
　
　オ　「インクジェット記録装置においては、インク滴の吐出を効率よく安定して行わせるために、例えば、前述のバブルジェット記録法においては、電気熱変換体２に印加される上記電気信号Ｐの電圧、パルス幅、周波数などの膜沸騰化駆動条件、更にはインクの状態を良好に保ち安定した印字を行なうために行う予備吐出、予備加熱、あるいは記録ヘッドの回復動作等に関する制御手順が、そのインクジェット記録装置用として設定したインクの特性に応じてハードウェアーまたはソフトウェアーによりあらかじめプログラムされていることが多い。従って、このような構成ではインクに応じた設定に合わない異なった組成のインクを使用した場合、記録ヘッドの正常な駆動が行えず高品位な記録を行い得ないことがある。
　そのため、例えばインクカートリッジの形態を各装置ごと専用に設計し、使用者が誤って異なった組成のインクを使用することがないよう配慮された装置が提供されている。
　また、インクジェット記録法においては、イエロー、マゼンタ、シアン、ブラック等の複数色のインクそれぞれに対応した記録ヘッド、インクカートリッジを備え、記録紙上にて複数色の記録液滴を混色させることで、比較的容易にカラー画像を形成することができる。このような構成においては、上記異なる組成のインクを誤使用することに加え、各色のインクカートリッジが誤った位置に装着されてインク供給系の内部等で異なった色のインク同士が混色され、カラー画像形成に重大な支障となる可能性もある。これを防止するには、各色のインクカートリッジがそれぞれ同一装置において正しい位置に装着されることが必要となる。このため、上述と同様にインクカートリッジを各インク色毎に専用の形態とすることにより、誤装着を防止する構成が考えられる。」（４頁右上欄１行〜同頁左下欄１５行）
　
　カ　「［実施例］
　以下、図面を参照して本発明の実施例を詳細に説明する。
［実施態様例１］
　第１図（ａ）は本発明に係る
インクジェット記録装置に対して着脱可能とされるインクカートリッジ５１
インクカートリッジ５１が装着された際にこれと接続する接続装置５２
　なお、インクカートリッジを着脱自在に装着するための構成は公知のものを用いることができ、その説明および図示は省略する。
　第１図（ａ）中符号
１２はインクカートリッジ５１の外装たる筐体
通常プラスチックのモールド成型にてインクジェット記録装置本体のカートリッジ収容部の形状や構成に合わせて作られている
　
１３はインクを収容するための密閉型のインク収容容器であり、本例においては可撓性のインク袋を用いており、内部にインクが封入収容されている。１５はシリコーンゴムなどの弾性材料からなるインク供給部である。このインク供給部は、インク袋とインク導出管１５ａを介して接続されており、インクカートリッジ５１がインクジェット記録装置に装着されたときインクジェット記録装置本体の接続装置５２に設置された中空のインク針１６が差し込まれてインク袋内のインクをインクジェット記録装置内に供給する
　また、記録ヘッドに対するインクの充填あるいは吸引等によってインクジェット記録ヘッドから強制的に排出されたインクは、インクジェット記録装置本体側に設置された廃インク回収用チューブ１６ａ、１６ｂおよび接続装置５２の排出管を通り、さらにインクカートリッジの外装に設けられた穴１７を介して廃インク溜め１８に送り込まれる。１９は、インクカートリッジ５１内のインクの種別を示す情報を有した媒体である。本実施態様例で使用されている媒体は、抵抗体（０乃至∞Ωの中から選択される所定の抵抗値を有する。）である。１９ａ、１９ｂは、媒体とインクジェット記録装置本体とを電気的に接続するためにインクカートリッジ５１側に設けられた端子である。この端子１９ａ、１９ｂは、インクカートリッジ５１が、インクジェット記録装置本体に完全に装置されたとき、接続装置５２に設けられたピン端子２０ａ、２０ｂが端子１９ａ、１９ｂに挿入され、これにより端子１９ａ、１９ｂと装置側が電気的に接続される。ピン端子２０ａ、２０ｂは、インクジェット記録装置本体内の制御回路に電気的に接続されており、この制御回路は媒体の情報を電気的に読み取ることができる。
　図中、
３０１Ｙおよび３０２Ｙはインクカートリッジの誤装着を防止するために設けられたそれぞれ凹部および凸部であり、インクカートリッジ５１の装着の際には凹凸部同士が互いに嵌合する構成となっている。凹部３０１Ｙは筐体１２においてその貯留するインクのイエロー（Ｙ）に応じて所定の部位を切除することにより形成される。また、凸部３０２Ｙは接続装置５２においてインクカートリッジ装着の際に凹部３０１Ｙと嵌合できる位置に形成される
　第１図（ｂ）、（ｃ）および（ｄ）は他のマゼンタ、シアン、黒のインクに対応したインクカートリッジ５１と、インクジェット記録装置側に設けられた接続装置５２の一部を示す図である。本例
インクジェット記録装置はイエロー（Ｙ）、マゼンタ（Ｍ）、シアン（Ｃ）、黒（Ｂｋ）の４色のインクおよびこれに応じた４つの記録ヘッドを用いてフルカラーの記録を行うことが可能であり、そのための４つのインクカートリッジと、これら各々を装着するための４つの接続部５２が備えられる
　各図において、凹部３０１Ｍ、３０１Ｃ、３０１Ｂｋはそれぞれ貯留するマゼンタ（Ｍ）、シアン（Ｃ）、黒（Ｂｋ）のインクに応じて筐体１２に対して相互に異なる位置に設けられる。これに応じて、接続部５２の凸部３０２Ｍ、３０２Ｃ、３０２Ｂｋとが形成される位置が定められる。また、凹部３０１Ｍ、３０１Ｃ，３０１Ｂｋは第１図（ａ）の場合と同様に、筺体１２からインク色に対応した部位を切除することにより形成される。
　このように、インク色に応じて異なる位置にインクカートリッジの機械的な接合部を設けることにより、それぞれのインクカートリッジが他の異なるインクカートリッジの装着部に誤まって装着されることを防止できる。また、以上のような機械的な誤装着防止のための構成は、例えば、カートリッジ装着後にこれが誤装着であることを検知する例えば電気的な構成に比較すれば装着そのものを未然に防止することができる。すなわち、上記電気的な誤装着防止の構成のように一度装着されてしまうことによるインクの混色の可能性を完全に回避することができる。」（７頁右下欄１行〜８頁右下欄１９行）
　
　キ　「［実施態様例４］
　上記実施態様例１〜３では、情報媒体として抵抗体のような単純な素子を示したが、本発明では、他の例として半導体を使用することが出来る。第８図はインクカートリッジ内の情報媒体として電気的に消去可能な読み出し専用半導体メモリーアレイを備えた本発明の第４実施例を示す。
　第８図において、２１は、
インクカートリッジ本体
端子部２６を具える
インクカートリッジ本体が、インクジェット記録装置２４のインクカートリッジ受入部２７に挿入され
　
　ク　「第１０図は、着脱できる情報媒体として第８図にて前述したようなメモリーアレイを採用したインクカートリッジの例である。図中、３０はＲＯＭ、ＥＥＰＲＯＭ、バッテリーバックアップＲＡＭなどで構成できる半導体メモリーアレイチップであり、外装３１にインクカートリッジのコネクター３２と電気的に接続させるための端子３３を有する。３４はインクジェット記録装置本体と前記メモリーアレイとを電気的に接続させるための端子である。従って、本実施例においても第５図にて説明したのと同様な効果が得られることは明らかである。
　なお、本例の各カラーインクカートリッジの誤装着防止手段は実施態様例１，２，３の何れの場合も同様に実施することが可能であり、この際も色情報をインクカートリッジの誤装着防止手段に持たせることにより、半導体メモリーアレイ２２内のインク物性値の情報量を増加させることができる。」（１２頁右下欄１３行〜１３頁左上欄１１行）
　
　ケ　「第１２図は上記各実施例のインクカートリッジを装着可能にインクジェット記録装置の一例を示す斜視図である。
　ここで、１Ｙ，１Ｍ，１Ｃ，１Ｂｋはインクを吐出させ記録を行う不図示の吐出口を具えたインクジェット記録ヘッドであり、各インク色（Ｙ），マゼンタ（Ｍ），シアン（Ｃ），黒（Ｂｋ）のそれぞれに対応している。２はインクジェット記録ヘッド１Ｙ，１Ｍ，１Ｃ，１Ｂｋを主走査方向に操作するキャリッジ、３はキャリッジ２を駆動するＣＲモーター、４はＣＲモーター３の駆動力をキャリッジ２に伝える駆動ベルト、５はキャリッジ案内軸、６はインクジェット記録ヘッド１により記録される被記録材１１を副走査方向にシート送りする搬送ローラ、７は搬送ローラー６を駆動するＬＦモーターである。また、９は不図示のコントロール回路からの記録信号をインクジェット記録ヘッド１Ｙ，１Ｍ，１Ｃ，１Ｂｋに送給するためのフレキシブルケーブル、１０はシートガイド板である。
　
５１Ｙ，５１Ｍ，５１Ｃ，５１Ｂｋはインクジェット記録ヘッドから吐出させる記録インクを保持する上述のインクカートリッジであり、接続装置５２を介して装置本体と接続する。１３はインクカートリッジからインクジェット記録ヘッド１にインクを供給するためのインク供給路である。
　
　コ　第８図の記載から、「インクジェット記録装置２４は、４つのインクカートリッジ受入部２７を備えており、これらのインクカートリッジ受入部２７を第８図の左手前から右奥の順に第１ないし第４インクカートリッジ受入部とすると、第１ないし第４インクカートリッジ受入部は、それぞれ、水平方向である第８図に矢印で示された第１方向に挿入されるインクカートリッジ本体２１を受け入れるように外部に水平方向に開口していることが明らかな開口部と、水平方向に延びる底面と、インクカートリッジ本体２１が挿入されたとき端子部２６との電気的接続が達成されるコネクター２５を備えた天井面と、水平方向に挿入されるインクカートリッジ本体２１の側面に形成されている凸条や溝を案内するようになっていることが明らかな第１側面と、該第１側面に対向する第２側面と、インクカートリッジが装着された際にこれと接続する接続装置を備えた前記開口部と対向する第３側面とを有し、第１ないし第４インクカートリッジ受入部は、その底面が同一平面上に並ぶように、僅かな間隔で横方向に並んで配置されている。」ことが見て取れる。
　
　サ　第１図（ａ）ないし（ｄ）、第５図、第６図、第７図、第８図、第１０図及び第１２図の記載から、
「インクカートリッジ（５１、第８図においては『インクカートリッジ本体２１』が相当する。）は、外装たる筐体１２を有しており、
　前記筐体１２の外形は、ほぼ正方形の上下面と、幅方向の長さよりも高さ方向の長さが短い長方形の４つの側面とからなる、扁平な直方体形状であって、該筐体１２内部には密閉型のインク収容容器１３を有しており、
　該インク収容容器１３は、可撓性のインク袋を用いたものであって、内部にインクが封入収容されており、
　前記筐体１２の４つの側面のうち、インクカートリッジの挿入方向先端側の側面である前面には、シリコーンゴムなどの弾性材料からなるインク供給部１５が設けられており、
　該インク供給部１５は、インク導出管１５ａを介して前記インク袋と接続されており、
　インクカートリッジがインクジェット記録装置に装着されたときインクジェット記録装置本体の接続装置５２に設置された中空のインク針１６が前記インク供給部１５に差し込まれて前記インク袋内のインクがインクジェット記録装置内に供給されるようになっている。」ことが見て取れる。
　
　シ　第８図及び第１０図の記載から、インクカートリッジの筐体１２は、インク供給部１５が設けられている前記前面の反対側の側面である後面と該後面に隣接する左右両側面の前記後面に隣接する領域とからなる後端部において、前記左右両側面は、上下方向に延びる多数の凸条又は溝を有していることが見て取れる。そして、インクカートリッジの筐体１２の上下方向に延びる多数の凸条又は溝が設けられた後端部における左右両側面に、それぞれ親指及び人差し指（又は親指及び中指）を押しあててインクカートリッジを把持すれば、インクカートリッジを把持し易いことが、当業者に自明である。
　
　ス　上記アないしシから、引用例１には、
「インクジェット記録装置とインクジェット記録装置に対して着脱可能とされるインクカートリッジの組み合わせであって、
　前記インクジェット記録装置は、第１ないし第４インクカートリッジ受入部を備えており、第１ないし第４インクカートリッジ受入部は、それぞれ、水平方向に挿入されるインクカートリッジを受け入れるように外部に水平方向に開口している開口部と、水平方向に延びる底面と、インクカートリッジが挿入されたときインクカートリッジ側端子部との電気的接続が達成されるコネクターを備えた天井面と、水平方向に挿入されるインクカートリッジの側面に形成されている凸条や溝を案内するようになっている第１側面と、該第１側面に対向する第２側面と、前記開口部と対向しかつ接続装置を備えている第３側面とを有し、第１ないし第４インクカートリッジ受入部は、その底面が同一平面上に並ぶように、僅かな間隔で横方向に並んで配置されており、前記接続装置は、インクカートリッジが装着された際にこれと接続し、インク供給路を介して、インクカートリッジからのインクをインクジェット記録ヘッドに供給するためのものであり、
　前記インクカートリッジは、通常プラスチックのモールド成型にてインクジェット記録装置本体のインクカートリッジ受入部の形状や構成に合わせて作られている外装たる筐体を有しており、
　前記筐体の外形は、ほぼ正方形の上下面と、幅方向の長さよりも高さ方向の長さが短い長方形の４つの側面とからなる、扁平な直方体形状であって、該筐体内部には密閉型のインク収容容器を有しており、
　該インク収容容器は、可撓性のインク袋を用いたものであって、内部にインクが封入収容されており、
　前記筐体の４つの側面のうち、インクカートリッジの挿入方向先端側の側面である前面には、シリコーンゴムなどの弾性材料からなるインク供給部が設けられており、
　該インク供給部は、インク導出管を介して前記インク袋と接続されており、
　前記筐体は、前記インク供給部が設けられている前記前面の反対側の側面である後面と該後面に隣接する左右両側面の前記後面に隣接する領域とにより囲まれた後端部における左右両側面に、親指及び人差し指（又は親指及び中指）を押しあててインクカートリッジを把持し易くなることが明らかである、上下方向に延びる多数の凸条又は溝を有しており、
　前記インクカートリッジが前記インクジェット記録装置に装着されたときインクジェット記録装置本体の前記接続装置に設置された中空のインク針が前記インク供給部に差し込まれて前記インク袋内のインクが前記接続装置を介して前記インクジェット記録装置内に供給されるようになっている、
　インクジェット記録装置とインクジェット記録装置に対して着脱可能とされるインクカートリッジの組み合わせ。」の発明（以下「引用発明」という。）が記載されているものと認められる。
　
（２）当審拒絶理由で引用した「本願の出願前に頒布された刊行物である特開平３−１８４８７３号公報（以下「引用例２」という。）」には、図とともに次の記載がある。
　
「本発明の実施に際しては、プラスチックシートなどの可撓性材料を溶着して形成したインク袋を、硬質プラスチックの
外殻内に収納した構造のインクカートリッジ
外殻の端部は
舟型に形成され
　このような
カートリッジを複数個並列に並べた場合、隣同士の舟型部により、その間に取り外しのために手を掛ける空間が形成され
カートリッジを引き抜く動作
を
行うことができ
しかも、記録装置の小型化を図ることができる
　
４　対比
　本願発明と引用発明とを対比する。
（１）引用発明の「インクジェット記録装置」、「インクジェット記録装置に対して着脱可能とされるインクカートリッジ」、「インクカートリッジ受入部」、「第１ないし第４」、「外部に水平方向に開口している開口部」、「水平方向に延びる底面」、「天井面」、「前記開口部と対向する第３側面」、「『インクカートリッジの挿入方向先端側の側面である前面』に設けられた『シリコーンゴムなどの弾性材料からなるインク供給部』」、「インクジェット記録ヘッド」、「インク」、「接続装置」、「第１ないし第４インクカートリッジ受入部は、その底面が同一平面上に並ぶように、僅かな間隔で横方向に並んで配置され」、「第１インクカートリッジ受入部及び第２インクカートリッジ受入部」、「『インク供給部』が設けられている『前面』」、「前記前面の反対側の側面である後面と該後面に隣接する左右両側面の前記後面に隣接する領域とにより囲まれた後端部」、「下面」、「『幅方向の長さよりも高さ方向の長さが短い長方形』の『後端面』の『幅方向』」、「横方向」、「挿入」及び「接続」は、それぞれ、本願発明の「記録装置」、「記録装置に装着可能なインクカートリッジ」、「インクカートリッジ装着部」、「複数個」、「外部に水平方向に開口する開口部」、「水平方向に延びる底面」、「天井面」、「前記開口部と対向する位置」、「インクカートリッジのインク供給口」、「記録ヘッド」、「インク」、「接続部」、「前記複数個のインクカートリッジ装着部は、その前記底面がほぼ同一平面上に並ぶように相互に隣接して配置され」、「互いに隣り合う第１及び第２のインクカートリッジ装着部」、「インク供給口を有する前面」、「前記前面と反対側に形成された後端部」、「下面」、「『インクカートリッジ』の『幅方向』」、「『インクカートリッジ装着部』の『並び方向』」、「挿入」及び「接続」に相当する。
　
（２）引用発明の「記録装置（インクジェット記録装置）」は、「第１ないし第４インクカートリッジ受入部を備え」ているから、本願発明の「記録装置」と、「前記インクカートリッジを着脱可能に装着するためのインクカートリッジ装着部を複数個備え」る点で一致する。
　
（３）引用発明の「インクカートリッジ装着部（第１ないし第４インクカートリッジ受入部）」は、「それぞれ、水平方向に挿入されるインクカートリッジを受け入れるように外部に水平方向に開口している開口部と、水平方向に延びる底面と、インクカートリッジが挿入されたときインクカートリッジ側端子部との電気的接続が達成されるコネクターを備えた天井面と、水平方向に挿入されるインクカートリッジの側面に形成されている凸条や溝を案内するようになっている第１側面と、該第１側面に対向する第２側面と、前記開口部と対向しかつ接続装置を備えている第３側面とを有し、第１ないし第４インクカートリッジ受入部は、その底面が同一平面上に並ぶように、僅かな間隔で横方向に並んで配置されており、前記接続装置は、インクカートリッジが装着された際にこれと接続し、インク供給路を介して、インクカートリッジからのインクをインクジェット記録ヘッドに供給するためのものであ」るから、本願発明の「インクカートリッジ装着部」と、「それぞれ、外部に水平方向に開口する開口部、水平方向に延びる底面、及び、天井面を有し、前記開口部と対向する位置に、インクカートリッジのインク供給口と接続して記録ヘッドにインクを供給する接続部を有し」ている点、「その前記底面がほぼ同一平面上に並ぶように相互に隣接して配置されて」いる点及び「互いに隣り合う第１及び第２のインクカートリッジ装着部を有し」ている点で一致する。
　
（４）引用発明において、「記録装置（インクジェット記録装置）」及び「インクカートリッジ（インクジェット記録装置に対して着脱可能とされるインクカートリッジ）」は、「インクカートリッジ」が「インクカートリッジ装着部（インクカートリッジ受入部）」に挿入されるとき、「インクカートリッジ」は、インクカートリッジを受け入れるように外部に水平方向に「開口」している「開口部」から水平方向に挿入されるようになっており、「インクカートリッジ」の筐体は、ほぼ正方形の「上下面」と、幅方向の長さよりも高さ方向の長さが短い長方形の４つの側面とからなる外形をしており、前記筐体の４つの側面のうち、インクカートリッジの挿入方向先端側の側面である「前面」には、シリコーンゴムなどの弾性材料からなる「インク供給口（インク供給部）」が設けられており、外部に水平方向に「開口」している「開口部」と対向している第３側面に備えられた「接続部（接続装置）」は、「インクカートリッジ」が装着された際にこれと接続し、インク供給路を介して、「インクカートリッジ」からの「インク」を「記録ヘッド（インクジェット記録ヘッド）」に供給するためのものであり、「インクカートリッジ」が「記録装置」に装着されたとき「記録装置」本体の前記「接続部」に設置された中空のインク針が前記「インク供給口」に差し込まれて前記インク袋内のインクが前記「接続部」を介して前記「記録装置」内に供給されるようになっているから、「インクカートリッジ」の「下面」は、「記録装置」の「インクカートリッジ装着部」の「底面」に沿って、前記「開口」側から前記「インク供給口」を前記「接続部」に接続させる方向に滑らせることが可能なものであるといえ、かつ、前記「インクカートリッジ」は、その「幅方向」が前記「インクカートリッジ装着部」の前記「並び方向」に一致するように前記「インクカートリッジ装着部」の前記「開口部」から前記「インクカートリッジ装着部」に「挿入」されるものであるといえる。
　したがって、引用発明の「インクカートリッジ」と本願発明の「インクカートリッジ」とは、「前記インク供給口を有する前面と前記前面と反対側に形成された後端部とを有」する点、「前記インクカートリッジ装着部の前記底面に沿って、前記開口側から前記インク供給口を前記接続部に接続させる方向に滑らせることが可能な下面を更に有して」いる点、及び、「その幅方向が前記インクカートリッジ装着部の前記並び方向に一致するように前記インクカートリッジ装着部の前記開口部から前記インクカートリッジ装着部に挿入され、前記インクカートリッジの前記下面を前記インクカートリッジ装着部の前記底面に沿って滑らせて、前記インク供給口を前記接続部に接続させることで、前記インクカートリッジ装着部に装着され」る点で一致する。
　
（５）上記（１）ないし（４）からみて、本願発明と引用発明とは、
「記録装置と記録装置に装着可能なインクカートリッジとの組み合わせであって、
　前記記録装置は、前記インクカートリッジを着脱可能に装着するためのインクカートリッジ装着部を複数個備え、
　前記インクカートリッジ装着部は、それぞれ、
　外部に水平方向に開口する開口部、水平方向に延びる底面、及び、天井面を有し、
　前記開口部と対向する位置に、インクカートリッジのインク供給口と接続して記録ヘッドにインクを供給する接続部を有し、
　前記複数個のインクカートリッジ装着部は、その前記底面がほぼ同一平面上に並ぶように相互に隣接して配置されており、
　前記複数個のインクカートリッジ装着部は、互いに隣り合う第１及び第２のインクカートリッジ装着部を有しており、　
　前記インクカートリッジは、前記インク供給口を有する前面と前記前面と反対側に形成された後端部とを有し、
　前記インクカートリッジは、前記インクカートリッジ装着部の前記底面に沿って、前記開口側から前記インク供給口を前記接続部に接続させる方向に滑らせることが可能な下面を更に有しており、
　前記インクカートリッジは、その幅方向が前記インクカートリッジ装着部の前記並び方向に一致するように前記インクカートリッジ装着部の前記開口部から前記インクカートリッジ装着部に挿入され、前記インクカートリッジの前記下面を前記インクカートリッジ装着部の前記底面に沿って滑らせて、前記インク供給口を前記接続部に接続させることで、前記インクカートリッジ装着部に装着される、記録装置と記録装置に装着可能なインクカートリッジとの組み合わせ。」の点で一致し、次の点で相違する。
　
相違点：
　本願発明では、
　　前記インクカートリッジ装着部は、「前記底面は前記天井面よりも前記接続部とは反対側に延びて」おり、前記インクカートリッジ装着部のそれぞれにおいて、「前記天井面よりも前記接続部とは反対側に延びている前記底面の部分のうち、前記インクカートリッジ装着部の並び方向における両側には、一対のへこみ部が形成されて」おり、前記へこみ部は、「前記インクカートリッジ装着部の底面の前記接続部とは反対側の縁まで延びて」おり、かつ、「前記縁において開口して」おり、前記複数個のインクカートリッジ装着部は、「前記第１のインクカートリッジ装着部の底面に形成された一対のへこみ部のうち前記第２のインクカートリッジ装着部側に形成されたへこみ部は、前記第２のインクカートリッジ装着部の底面に形成された一対のへこみ部のうち前記第１のインクカートリッジ装着部側に形成されたへこみ部と連続するように形成されて」おり、
　　前記インクカートリッジは、「前記後端部は、前記前面の幅よりも狭い幅に形成されて」おり、「前記後端部は、前記インクカートリッジが前記インクカートリッジ装着部に装着された際、前記天井面よりも前記接続部とは反対側に延びている前記底面の部分に位置することにより前記開口部から露出し、前記後端部は、前記インクカートリッジが前記インクカートリッジ装着部に装着された際、前記インクカートリッジ装着部の前記底面のうち前記一対のへこみ部の間の部分上に位置し」ているものであり、「前記後端部の前記下面と反対側の上面には、幅方向に直線状に延びるリブが形成されている」ものであり、
　　前記インクカートリッジ装着部の前記底面のうち前記一対のへこみ部の間の部分が有する前記インクカートリッジ装着部の前記並び方向に沿った幅は、前記インクカートリッジの前記後端部の前記幅より小さく、前記インクカートリッジが前記インクカートリッジ装着部に装着された際、前記インクカートリッジの前記後端部の幅方向における両端が、前記一対のへこみ部上に突出するのに対して、
　引用発明では、
　　前記インクカートリッジ装着部は、前記底面は、前記天井面よりも前記接続部とは反対側に延びてはおらず、そのような「へこみ部」も形成されてはおらず、
　　前記インクカートリッジは、その後端部の幅がその前面の幅よりも狭くはなく、前記後端部は、そのようなリブが形成されているものではなく、前記インクカートリッジが前記インクカートリッジ装着部に装着された際、前記開口部から露出しているかどうかは明らかでない点。
　
５　判断
　上記相違点について検討する。
（１）扁平な概略直方体形状のインクカートリッジであって、そのインクカートリッジを記録装置本体に挿入する挿入方向の後方からみて、その長手方向の幅が小さい部分を挿入方向後方の後端部に形成し、該後端部の幅の小さい部分を把手部として使用できるようになっているものは、本願の出願前に周知である（以下「周知技術１」という。例．当審拒絶理由で引用した特開平９−１５０５２４号公報（図８及びＦＩＧ．８参照。）、同じく当審拒絶理由で引用した実願平３−４１０９５号（実開平４−１３５３４３号）のマイクロフィルム（図１、図２、図６及び【００１６】参照。）、特開平１−１４１７５０号公報（第１図〜第４図参照。））。
　
（２）開口の前方まで底面が延長しているインクカートリッジ装着部は本願の出願前に周知である（以下「周知技術２」という。例．当審拒絶理由で引用した特開平１０−１１９２９７号公報（図３の「ヘッドフォルダ３１」参照。）、原査定の拒絶の理由で引用された特開平４−１４１４４４号公報（第２図（Ａ）参照。））
　
（３）後端部の上面に幅方向に直線状に延びるリブが形成されているインクカートリッジは本願の出願前に周知である（以下「周知技術３」という。例．引用例２（第４図参照。）、上記特開平４−１４１４４４号公報（第１図及び第２図（Ａ）参照。））
　
（４）引用例２には上記３（２）に記載したとおりの記載があり、この記載から、「インクカートリッジの外殻の後端部を舟型のような幅の狭い形状にすると、インクカートリッジを複数個並列に並べた場合、隣同士の幅を狭くした後端部により、その間に取り外しのために手を掛ける空間が形成されることになり、このことにより、記録装置の小型化を図りながら、カートリッジを簡単に引き抜くことができる。」といった技術事項を把握することができる。
　
（５）引用発明において、「インクカートリッジ」は、「記録装置（インクジェット記録装置）」本体の「インクカートリッジ装着部（インクカートリッジ受入部）」の形状や構成に合わせて作られている外装たる筐体を有し、該筐体は、扁平な直方体形状の外形のものであり、第１ないし第４の「インクカートリッジ装着部」は、その底面が同一平面上に並ぶように、僅かな間隔で横方向に並んで配置されているところ、その４つの「インクカートリッジ装着部」のそれぞれに装着されている「インクカートリッジ」も下面が同一平面上に並ぶように、僅かな間隔で横方向に並んでいることになり、その僅かな間隔で横方向に並んでいる「インクカートリッジ」の後端部における左右両側面に備わっている上下方向に延びる多数の凸条又は溝も僅かな間隔で横方向に並んでいることになるから、「記録装置」の小型化などの当業者に自明な課題も考慮すると、隣接する「インクカートリッジ」の隣接する前記「多数の凸条又は溝」の間に、親指及び人差し指（又は親指及び中指）を差し込んで、その多数の凸条又は溝に押しあててインクカートリッジを把持することが十分できる空間を確保するために、隣接する「インクカートリッジ」の間隔を大きくすることもむやみにはできないので、引用例２に記載の上記技術事項（上記（４）参照。）と同様に、引用発明の「インクカートリッジ」について、インクカートリッジを記録装置本体に挿入する挿入方向の後方からみて、その長手方向の幅が小さい部分をその筐体の後端部に形成して、「記録装置」を大型化することなく（小型化を図りながら）、「インクカートリッジ」を把持することが十分できる空間を確保することは、当業者が引用例２に記載の上記技術事項及び周知技術１に基づいて容易に想到することができた程度のことである。
　
（６）また、引用発明において、「インクカートリッジ装着部」の形状や構成に合わせて作られている「インクカートリッジ」の外装たる筐体が極端に扁平で高さが低いとき、すわわち「インクカートリッジ装着部」の「開口部」の高さが低いときには、上記（５）で述べたことと同様に、隣接する「インクカートリッジ」の隣接する前記「多数の凸条又は溝」間に、親指及び人差し指（又は親指及び中指）を差し込んで、その多数の凸条又は溝に押しあててインクカートリッジを把持するには、高さ方向についても十分な空間が必要であることが当業者に自明であるところ、装置本体から着脱自在なユニットを指でつまんで取り出す際に、取り出しやすくするために装置本体側に指を受け入れる凹部を形成することは慣用手段である（一例として、当審拒絶理由で引用した実願昭５９−１３１９０５号（実開昭６１−４８５６２号）のマイクロフィルム（「凹部２６」参照。）参照。）から、隣接する「インクカートリッジ」の隣接する前記「多数の凸条又は溝」間に、親指及び人差し指（又は親指及び中指）を差し込んで、その多数の凸条又は溝に押しあててインクカートリッジを把持するために、高さ方向についても十分な空間を確保できるように「インクカートリッジ装着部」の「開口部」の適切な箇所に凹部を形成することは、当業者が引用例２に記載の上記技術事項及び上記慣用手段に基づいて適宜なし得た程度のことである。
　
（７）さらに、引用発明において、「記録装置」の「インクカートリッジ装着部」の「開口部」は水平方向に挿入されるインクカートリッジを受け入れるように外部に水平方向に開口しているが、一般に、水平方向に開口する開口部から着脱可能なユニットを引き抜くときや挿入するときに、開口からユニットの先端が脱出してからユニットを持ち上げて取り出し、開口の前でユニットの先端を位置合わせしてからユニットを開口に挿入することが行われているから、開口の前方（挿入方向手前）まで底面を延長してあると、開口からユニットの先端が脱出した途端に落下したり、開口の前で先端を位置合わせするのにユニットがふらついたりしないことは、当業者が容易に予測できることであるので、引用発明において、周知技術２と同様に、「インクカートリッジ装着部」の「底面」を前記「天井面」よりも前記「接続部」とは反対側に延びたものとすることは、当業者が周知技術２に基づいて適宜なし得た程度のことである。
　
（８）上記（１）ないし（７）を総合すると、引用発明の前記「インクカートリッジ装着部」において、前記「底面」を前記「天井面」よりも前記「接続部」とは反対側に延びているものとし、引用発明の前記「インクカートリッジ装着部」のそれぞれにおいて、前記「天井面」よりも前記「接続部」とは反対側に延びている前記「底面」の部分のうち、前記「インクカートリッジ装着部」の並び方向における両側に、一対の「へこみ部（凹部）」を形成し、この「へこみ部」を、前記「インクカートリッジ装着部」の「底面」の前記「接続部」とは反対側の縁まで延び、かつ、前記縁において開口するものとし、引用発明の前記複数個の「インクカートリッジ装着部」を、前記「第１のインクカートリッジ装着部」の「底面」に形成する一対の「へこみ部」のうち前記「第２のインクカートリッジ装着部」側に形成する「へこみ部」を、前記「第２のインクカートリッジ装着部」の「底面」に形成する一対の「へこみ部」のうち前記「第１のインクカートリッジ装着部」側に形成する「へこみ部」と連続するようにし、引用発明の前記「インクカートリッジ」を、前記「後端部」が、前記「前面」の幅よりも狭い幅に形成したものとし、前記「後端部」が、前記「インクカートリッジ」が前記「インクカートリッジ装着部」に装着された際、前記「天井面」よりも前記「接続部」とは反対側に延びている前記「底面」の部分に位置することにより前記「開口部」から露出したものとし、前記「後端部」が、前記「インクカートリッジ」が前記「インクカートリッジ装着部」に装着された際、前記「インクカートリッジ装着部」の前記「底面」のうち前記一対の「へこみ部」の間の部分上に位置し」ているものとし、かつ、前記「後端部」が、その上面に幅方向に直線状に延びるリブが形成されているものとし、引用発明の前記「インクカートリッジ装着部」を、前記「底面」のうち前記一対の「へこみ部」の間の部分が有する前記「インクカートリッジ装着部」の前記並び方向に沿った幅は、前記「インクカートリッジ」の前記「後端部」の前記幅より小さいものとし、引用発明において、前記「インクカートリッジ」が前記「インクカートリッジ装着部」に装着された際、前記「インクカートリッジ」の前記「後端部」の幅方向における両端が、前記一対の「へこみ部」上に突出するようになして、上記相違点に係る本願発明の構成となすことは、当業者が、引用例２に記載された上記技術事項、周知技術１、周知技術２、周知技術３及び上記慣用手段に基づいて容易になし得た程度のことである。
　
（９）本願発明の奏する効果は、引用発明の奏する効果、引用例２に記載された上記技術事項、周知技術１の奏する効果、周知技術２の奏する効果、周知技術３の奏する効果及び上記慣用手段の奏する効果から、当業者が予測することができた程度のものである。
　
（１０）したがって、本願発明は、当業者が引用例１に記載された発明、引用例２に記載された上記技術事項、周知技術１、周知技術２、周知技術３及び上記慣用手段に基づいて容易に発明をすることができたものである。
　
６　むすび
　本願発明は、上記５のとおり、、当業者が引用例１に記載された発明、引用例２に記載された上記技術事項、周知技術１、周知技術２、周知技術３及び上記慣用手段に基づいて容易に発明をすることができたものであるから、特許法第２９条第２項の規定により特許を受けることができない。
　よって、結論のとおり審決する。